(57)【要約】      （修正有）【課題】透光筒カップが全体的に均一に発光する発光カップ形状体を提供する。【解決手段】発光カップ形状体は、透光筒カップ、給電モジュール２０及び発光ユニット３０から構成され、透光筒カップは台座１１及び台座から伸びた環体１２を備え、環体の表面にライトガイド構造１２２が形成され、給電モジュールは台座に固定され、発光ユニットはライト本体３１を備え、ライト本体は納置孔内に挿入設置される。発光ユニットは台座に対応して設置され、且つ、給電モジュールを電気連接する。【選択図】図４
0003212605.tif 000002
【実用新案登録請求の範囲】
【請求項１】
発光カップ形状体において、
台座及び自該台座から伸びた環体を備え、該環体の表面にはライトガイド構造を形成する透光筒カップと、
該台座に固定する給電モジュールと
該台座に対応して設置し且つ該給電モジュールを電気連接する発光ユニットを含むことを特徴とする発光カップ形状体。
【請求項２】
前記台座は、円形板及び該円形板から伸びた一対の立柱を備え、各該立柱の間には間隔槽を形成し、該間隔槽に対応する該円形板上には納置孔を穿設し、該発光ユニットはライト本体を備え、該ライト本体は該納置孔内に挿入設置することを特徴とする請求項１記載の発光カップ形状体。
【請求項３】
前記各該立柱の上部は差込溝を形成し、該給電モジュールは近接スイッチを含み、該近接スイッチは各該立柱に挿入し、且つ該差込溝内に定位することを特徴とする請求項２記載の発光カップ形状体。
【請求項４】
前記環体と該円形板の間は、ライトガイド傾斜板で連接し、更に該円形板の表面に反射構造を設置することを特徴とする請求項２記載の発光カップ形状体。
【請求項５】
前記ライトガイド構造は、テクスチャ紋様、プリント紋様もしくは彫刻紋様で形成することを特徴とする請求項１記載の発光カップ形状体。
【請求項６】
前記給電モジュールは回路板を含み、該回路板は通孔及び復数の導電接点を設置し、該発光ユニットはライト本体及び該ライト本体に電気連接する復数の導電ピンを備え、該ライト本体は該通孔に対応する位置から挿入して出し、各該導電ピンはそれぞれ該導電接点に対応して熔接連接することを特徴とする請求項１記載の発光カップ形状体。
【請求項７】
前記発光カップ形状体は、更にネジリングを含み、該ネジリングは該台座から伸び、且つ該環体の内側に成形することを特徴とする請求項１記載の発光カップ形状体。
【請求項８】
前記ネジリングは円形リング及び該円形リング内壁面に成形する内ネジ紋を備えることを特徴とする請求項７記載の発光カップ形状体。
【請求項９】
前記発光カップ形状体は、更に蓋体を含み、該蓋体は該台座の該環体から遠い方向で対応して蓋を合わせ、該給電モジュールと該発光ユニットを該蓋体と該台座の間で収納することを特徴とする請求項１記載の発光カップ形状体。
【請求項１０】
前記発光カップ形状体は、該蓋体の周辺縁で内掛合リングが伸び、該環体底部に外掛合リングが伸び、該内掛合リングは該外掛合リングに対応して掛合定位することを特徴とする請求項９記載の発光カップ形状体。
【考案の詳細な説明】
【技術分野】
【０００１】
本考案は、カップ形状体技術に関するもので、特に発光カップ形状体に係る。
【背景技術】
【０００２】
発光ダイオード等発光ユニットは消費電力が小さく、光線距離が長く、多種類の色温度があるという長所から、日常生活で広く応用されていて、各種照明具もしくは家庭電気製品等に応用されている。
特に造形カップ体、もしくは瓶を支える瓶蓋は次々と市場に出ており、これらはこれまでとは違う新しい視覚効果を形成するだけでなく、人々の注目を集め、更には商品の付加価値を高める。
【先行技術文献】
【特許文献】
【０００３】
【特許文献１】特開２００１−７０１２４号公報
【考案の概要】
【考案が解決しようとする課題】
【０００４】
解決しようとする問題点として、現在の発光カップ形状体もしくは瓶蓋の製品は、電力補充及び照明状態の欠点を有する。例として、光線の発射が単調であること、もしくは局部的な照明光線であること、もしくは組立が複雑であること、電力維持と交換及び携帯が不便である等の点である。
【０００５】
以上から本考案者は、上述の問題を改善し、専心研究し学理の運用と共に、遂に上述の問題を改善する本考案を提案することにした。
【課題を解決するための手段】
【０００６】
本考案は、透光筒カップ、給電モジュール及び発光ユニットを含む。透光筒カップは台座及び台座から伸びた環体を備え、環体の表面にライトガイド構造を形成する。
給電モジュールは台座に固定する。発光ユニットは台座に対応して設置し且つ給電モジュールを電気連接することを最も主要な特徴とする。
【考案の効果】
【０００７】
本考案の発光カップ形状体は、立柱と通孔及び定位柱と穿孔の設置によって、給電モジュールと発光ユニットが一度で透光筒カップ上に設置することができ、組立の簡易度が向上する。蓋体の内掛合リングによって環体の外掛合リングと相互に組合せ、密封効果が達成されるという利点がある。
【図面の簡単な説明】
【０００８】
【図１】本考案の発光カップ形状体の立体分解図である。
【図２】本考案の発光カップ形状体の組立外観図である。
【図３】本考案の発光カップ形状体の別の角度図である。
【図４】本考案の発光カップ形状体の組立断面図である。
【図５】本考案の発光カップ形状体の瓶体組立に応用する断面図である。
【考案を実施するための形態】
【０００９】
発光ユニットが照射した光線は透光筒カップのライトガイド構造を経て全体的に均一な発光効果を達成する発光カップ形状体を提供することを本考案の目的とする。
【００１０】
上述の目的を達成するため、本考案は発光カップ形状体を提供し、透光筒カップ、給電モジュール及び発光ユニットを含む。該透光筒カップは台座及び該台座から伸びた環体を備え、該環体の表面にライトガイド構造を形成する。
該給電モジュールは該台座に固定する。該発光ユニットは該台座に対応して設置し且つ該給電モジュールを電気連接する。
【実施例】
【００１１】
本考案の詳細な説明及び技術内容について、図式と共にいかに説明するが、図式は説明のための参考にすぎず、本考案を制限するものではない。
【００１２】
図１から図４に示すとおり、本考案は発光カップ形状体を提供し、それは主に透光筒カップ１０、給電モジュール２０及び光ユニット３０を含む。
【００１３】
透光筒カップ１０はPMMA(ポリメタクリル酸メチル)樹脂から製造され、それは台座１１及び環体１２を備える。台座１１は円形板１１１を備え、円形板１１１の表面に反射構造１１１０を形成し、該反射構造は反射片もしくは反射層であり、発光ユニット３０が投射した光線が該反射構造を経て反射して照り出す。他に円形板１１１の中心位置で一対の立柱１１２が上向きに延びる。
各立柱１１２の間には間隔槽１１３を形成し、円形板１１１の間隔槽１１３に対応する位置には納置孔１１４を設置する。また、各立柱１１２の上部には差込溝１１５を設置する。更に円形板１１１の表面で且つ各立柱１１２に形成する外周囲エリアには復数の定位柱１１６が延びる。
【００１４】
環体１２は、台座１１周辺縁から上向きに延び、本実施例の環体１２は円形であるが、この種の形状に制限されず、その他各種の幾何学形状でも良い。環体１２と円形板１１１の間はライトガイド傾斜板１３で連接し、光を環体１２へ導く。
その他、環体１２底部には外掛合リング１２１を設置する。また環体１２的内外表面にはそれぞれライトガイド構造１２２を形成し、該ライトガイド構造１２２は機械加工、プリントもしくはエッチング等方式でそれぞれテクスチャ紋様、プリント紋様もしくは彫刻紋様を形成する。
【００１５】
給電モジュール２０は台座１１に固定し、給電モジュール２０は回路板２１、復数の蓄電池２２及び近接スイッチ２３を含む。回路板２１の一表面には復数の銅箔回路(図未提示)を敷設し、蓄電池２２は回路板２１上に固定し且つ該銅箔回路と電気連接する。他に回路板２１の中心には回路板２１を貫通する通孔２１１を穿設し、通孔２１１外周辺縁の回路板２１上には二個の導電接点２１２を設置する。他に、回路板２１上の各蓄電池２２の両側には、それぞれ穿孔２１３を穿設し、近接スイッチ２３は導電柱２３１で回路板２１の銅箔回路上に電気連接する。
【００１６】
当実施例の発光ユニット３０は発光ダイオードであり、それはライト本体３１及び電気連接ライト本体３１の二個の導電ピン３２を備える。ライト本体３１は該通孔２１１位置に対応して挿入し、導電ピン３２は導電接点２１２にそれぞれ対応して熔接し、そのうち該近接スイッチ２３はライト本体３１の明、滅を制御する。
【００１７】
組立時、回路板２１の通孔２１１を該各立柱１１２に対応させて嵌合し、ライト本体３１を該納置孔１１４内に挿入し、各定位柱１１６はそれぞれ各穿孔２１３から差し込んで出し、次に近接スイッチ２３を立柱１１２に対応して挿入設置し、且つ差込溝１１５内に定位し、同時に導電柱２３１で回路板２１との電気連接を達成する。
【００１８】
更に本考案の発光カップ形状体は、更にネジリング５０を含む。該ネジリング５０は該台座１１から上向き伸び、更に該環体１２の内側で形成される。ネジリング５０は円形リング５１及び円形リング５１内壁面に成形する内ネジ紋５２を備える。このようにして発光瓶蓋が構成される。
【００１９】
更に本考案の発光カップ形状体は、更に蓋体６０を含む。該蓋体６０は該台座１１の遠離環体１２から遠い方向に対応して蓋をすることで、給電モジュール２０と発光ユニット３０を蓋体６０と台座１１の内部空間内に収納する。そのうち蓋体６０の周辺縁は内掛合リング６１が伸び、該内掛合リング６１は該環体１２の外掛合リング１２１に対応して掛合定位する。
【００２０】
使用する時、手指で蓋体６０の中心部位を触り、近接スイッチ２３で電源を始動して発光ユニット３０を発光させる。これら光線は台座１１の納置孔１１４から台座１１の外側に向かって照射し、そのうち一部の光線は環体１２の内部に沿って上向きに照射し、他の一部の光線はライトガイド構造１２２的外表面から外向きに照射する。このようにして環体１２の外周には全体に平均して発行する効果を達成する。
【産業上の利用可能性】
【００２１】
図５に示すとおり、本考案の発光カップ形状体は、瓶体８に応用することもできる。該瓶体８は瓶口８１を備え、瓶口８１の外周辺縁には外ネジ紋８２を成形する。該外ネジ紋８２は該ネジリング５０の内ネジ紋５２と相互に螺設して組み立てる。
【００２２】
上述のとおり、本考案の発光カップ形状体は、確実に予定の使用目的を達成し、公知の欠点を改善する。そして新奇性及び進歩性を備えるため、たしかに実用新案登録の申請要件を備える。
【符号の説明】
【００２３】
１０        透光筒カップ
１１        台座
１１１        円形板
１１１０        反射構造
１１２        立柱
１１３        間隔槽
１１４        納置孔
１１５        差込溝
１１６        定位柱
１２        環体
１２１        外掛合リング
１２２        ライトガイド構造
１３        ライトガイド傾斜板
２０        給電モジュール
２１        回路板
２１１        通孔
２１２        導電接点
２１３        穿孔
２２        蓄電池
２３        近接スイッチ
２３１        導電柱
３０        発光ユニット
３１        ライト本体
３２        導電ピン
５０        ネジリング
５１        円形リング
５２        内ネジ紋
６０        蓋体
６１        内掛合リング
８        瓶体
８１        瓶身
８２        瓶口
８３        外ネジ紋
【図１】
0003212605.tif 000003
【図２】
0003212605.tif 000004
【図３】
0003212605.tif 000005
【図４】
0003212605.tif 000006
【図５】
0003212605.tif 000007